(57)【要約】  【課題】  携帯電話の動画視聴機能と、２次元コード読み取り機能とを活用して、新たな演出効果が付加された年賀状や、手紙、名刺等を提供する。  【解決手段】  登録用の２次元コード１０と、これに対応する配布用の２次元コード１４とを有する携帯電話を活用した動画視聴システムであって、登録用の２次元コード１０を携帯電話の２次元コードリーダーで読み取り、ホストサーバにアクセスするステップと、ホストサーバに配布用の２次元コード１４に対応した動画を登録するステップと、配布用の２次元コード１４を携帯電話の２次元コードリーダーで読み取り、動画を視聴するステップとを含むことを特徴とする。  【選択図】図１２
2006155026.tif 000002
【特許請求の範囲】
【請求項１】
本部と、広告スポンサーであるテナント店と、加盟店と、登録会員との間で行われ、携帯電話の電子メールを予め登録した会員のメールアドレスに対して配信する携帯電話を活用した広告方法におけるポイント通貨システムであって、
前記加盟店又は前記登録会員に所定の取り決めに従ってポイントが付与されると、本部のサーバには前記加盟店又は前記登録会員に対応するポイント数が記録され、前記加盟店又は前記登録会員が前記テナント店で商品を購入する場合には、その商品の価格に対応した前記ポイント数を貨幣の代わりにテナント店へ支払うことができ、前記テナント店は該ポイント数による支払いに対応する金額を本部に請求することによって、前記本部のサーバは前記加盟店又は前記登録会員の記録されたポイント数から前記テナント店に支払ったポイント数を減じることを特徴とする携帯電話を活用した広告方法におけるポイント通貨システム。
【請求項２】
加盟店又は登録会員は、テナント店での商品購入時に携帯電話の画面に表示された２次元コードを提示し、前記テナント店は該２次元コードを２次元コードリーダーで読み取ると、前記加盟店又は登録会員の携帯電話に本人の確認とポイント数を換算した金額の表示がされたメールが到着し、前記加盟店又は前期登録会員は前記テナント店の商品を購入することができることを特徴とする携帯電話を活用した広告方法におけるポイント通貨システム。
【請求項３】
登録用の２次元コードと、これに対応する配布用の２次元コードとを有する携帯電話を活用した動画視聴システムであって、登録用の２次元コードを携帯電話の２次元コードリーダーで読み取り、ホストサーバにアクセスするステップと、ホストサーバに配布用の２次元コードに対応した動画を登録するステップと、配布用の２次元コードを携帯電話の２次元コードリーダーで読み取り、動画を視聴するステップとを含むことを特徴とする携帯電話を活用した動画視聴システム。
【発明の詳細な説明】
【技術分野】
【０００１】
本発明は、顧客が商品を購入する際に販売店へ支払う手段として、通貨機能を有するポイントを利用したポイント通貨システムに関するものである。
【背景技術】
【０００２】
従来より、販売店が顧客に対して、商品の購入実績に比例したサービスポイントを付与し、このサービスポイントが蓄積されると、販売店の商品と交換することのできる発明が知られている。また、このサービスポイントを電子通信回線を利用して、パソコンや携帯電話でやりとりして、仮の通貨として流通や決済を行う発明も知られている（特許文献１参照）。
【特許文献１】特開２００２−３２６６６号公報
【発明の開示】
【発明が解決しようとする課題】
【０００３】
しかし、上記発明ではサービスポイントが使用できる販売店であることが必要であり、予め指定されたチェーン店等に使用できる範囲が限られていた。また、サービスポイントが使用できる販売店であるか否かを確認するために、店員に尋ねる行為は煩わしいものであった。
【０００４】
さらに、販売店で商品を購入した時にその場で、サービスポイントでの支払いを可能にするためには、サービスポイントがカードのように偽造されたり、複製されたりしないこと、販売店で商品を購入し、サービスポイントで支払の決済をする人がサービスポイントを取得している本人であることの確認ができる必要があった。またこれらの作業が煩雑な場合には通貨としての流通性が低くなるので、できるだけ簡易なシステムの構築が必要であった。
【０００５】
本発明は上記点に鑑み、偽造されたり、複製されたりする恐れがなく、本人の確認も容易にすることができ、決済作業が簡易なことから、通貨としての流通性もあるポイント通貨システムを提供することを目的とする。
【課題を解決するための手段】
【０００６】
請求項１の発明は、本部と、広告スポンサーであるテナント店と、加盟店と、登録会員との間で行われ、携帯電話の電子メールを予め登録した会員のメールアドレスに対して配信する携帯電話を活用した広告方法におけるポイント通貨システムであって、
前記加盟店又は前記登録会員に所定の取り決めに従ってポイントが付与されると、本部のサーバには前記加盟店又は前記登録会員に対応するポイント数が記録され、前記加盟店又は前記登録会員が前記テナント店で商品を購入する場合には、その商品の価格に対応した前記ポイント数を貨幣の代わりにテナント店へ支払うことができ、前記テナント店は該ポイント数による支払いに対応する金額を本部に請求することによって、前記本部のサーバは前記加盟店又は前記登録会員の記録されたポイント数から前記テナント店に支払ったポイント数を減じることに特徴を有する。
【０００７】
請求項２の発明は、加盟店又は登録会員は、テナント店での商品購入時に携帯電話の画面に表示された２次元コードを提示し、前記テナント店は該２次元コードを２次元コードリーダーで読み取ると、前記加盟店又は登録会員の携帯電話に本人の確認とポイント数を換算した金額の表示がされたメールが到着し、前記加盟店又は前期登録会員は前記テナント店の商品を購入することができることに特徴を有する。
【０００８】
請求項３の発明は、登録用の２次元コードと、これに対応する配布用の２次元コードとを有する携帯電話を活用した動画視聴システムであって、登録用の２次元コードを携帯電話の２次元コードリーダーで読み取り、ホストサーバにアクセスするステップと、ホストサーバに配布用の２次元コードに対応した動画を登録するステップと、配布用の２次元コードを携帯電話の２次元コードリーダーで読み取り、動画を視聴するステップとを含むことに特徴を有する。
【発明の効果】
【０００９】
請求項１の発明は、本部と、広告スポンサーであるテナント店と、加盟店と、登録会員との間で行われ、携帯電話の電子メールを予め登録した会員のメールアドレスに対して配信する携帯電話を活用した広告方法におけるポイント通貨システムであって、
前記加盟店又は前記登録会員に所定の取り決めに従ってポイントが付与されると、本部のサーバには前記加盟店又は前記登録会員に対応するポイント数が記録され、前記加盟店又は前記登録会員が前記テナント店で商品を購入する場合には、その商品の価格に対応した前記ポイント数を貨幣の代わりにテナント店へ支払うことができ、前記テナント店は該ポイント数による支払いに対応する金額を本部に請求することによって、前記本部のサーバは前記加盟店又は前記登録会員の記録されたポイント数から前記テナント店に支払ったポイント数を減じることに特徴を有するので、加盟店又は登録会員が現在所持しているポイント数を本部のサーバが管理し、テナント店で商品を購入した場合には、その商品に対応したポイント数が減じられるので、ポイントが通貨と同様な機能を果たすことができる。
【００１０】
請求項２の発明は、加盟店又は登録会員は、テナント店での商品購入時に携帯電話の画面に表示された２次元コードを提示し、前記テナント店は該２次元コードを２次元コードリーダーで読み取ると、前記加盟店又は登録会員の携帯電話に本人の確認とポイント数を換算した金額の表示がされたメールが到着し、前記加盟店又は前期登録会員は前記テナント店の商品を購入することができることに特徴を有するので、テナント店での商品購入時に現金を持っていなくても、携帯電話さえあれば商品を購入することができ、さらに迅速に支払いを行うことができるので、流通性を備えた通貨として機能させることができる。
【００１１】
請求項３の発明は、登録用の２次元コードと、これに対応する配布用の２次元コードとを有する携帯電話を活用した動画視聴システムであって、登録用の２次元コードを携帯電話の２次元コードリーダーで読み取り、ホストサーバにアクセスするステップと、ホストサーバに配布用の２次元コードに対応した動画を登録するステップと、配布用の２次元コードを携帯電話の２次元コードリーダーで読み取り、動画を視聴するステップとを含むことに特徴を有するので、配布用の２次元コードを年賀状や名刺等に印刷等すれば、そこから、携帯電話で動画を視聴することができるため、より一層親近感を与えることができ、動画を利用して様々な演出効果を奏することができる。
【発明を実施するための最良の形態】
【００１２】
次に、本発明の実施形態を図面に基づいて説明する。はじめに、本発明の電子メールアドレスの管理方法は、携帯電話を活用した広告方法におけるものであり、この広告方法についての基本的な実施形態について詳しくは特願２００３−０３４５５５に記載されているが、図１及び図２を用いて簡単に説明しておく。図１は本発明に係る携帯電話を活用した広告方法のシステム構成を示す概念図である。この図に示すように、本システムは本部１と、テナント店２と、このテナント店２とアフィリエイト契約した加盟店３と、登録会員４とから構成されるものである。
【００１３】
そして、先ず、本部１は宣伝広告を配信したいテナント店２と、宣伝広告を受信する加盟店３を集めることから始まる。また、テナント店２には宣伝広告したい内容を記録したデータを文字やデジタルカメラ等による写真や、動画等で作成してもらい、出来上がったデータを本部１のサーバへと送信するのである。
【００１４】
一方、加盟店３には専用のホームページを開設させることによって、同ホームページを運営するための加盟店専用のＵＲＬが本部１より付与されることとなる。また、加盟店３には登録会員４が入会する時に受け付けるための入会受付専用のメールアドレスが本部より付与されることとなる。そして、所定の数のテナント店２と加盟店３が集った時点で、本部１は紹介用の電子メールを加盟店３の携帯電話へと配信するのである。次に、紹介用の電子メールを受信した加盟店３は、知人のメールアドレスに転送するのである。そして、電子メールを受け取った知人が登録手続きを行うことによって、登録会員４となるのである。
【００１５】
次に、図２を用いて本発明の広告方法における基本的なポイントシステムについて説明する。先ず、ポイントとは加盟店又は登録会員が本部から送信されてきた電子メールに添付されたテナント店の広告を受信した場合にその都度、加盟店又は登録会員に与えられる点数のことである。そして、このポイントが蓄積されるとテナント店において、ポイントに対応する商品と交換することができるのである。
【００１６】
そして、このポイントは、加盟店又は登録会員自身が広告を閲覧した場合に限られず、加盟店又は登録会員の紹介した登録会員と、その登録会員が紹介した登録会員と、さらにその登録会員が紹介した登録会員と・・・というように、配下の登録会員（例えば、登録会員Ａの場合には図の斜線で示した登録会員全部）が受信した広告についても所定の比率でポイントに換算されるのである。
【００１７】
したがって、加盟店又は登録会員は新規の登録会員を紹介すればする程、自身に与えられるポイントが増加していくことになるので、積極的に新規の登録会員を集めようと努力するようになるのである。
【００１８】
これは、テナント店にとってみれば自社の宣伝広告を受信する人の数が増加することになるわけであり、その広告を閲覧して興味を抱いた人が、買い物に来てくれれば売上増加につながるのである。また、本部にとってみればテナント店から、宣伝広告を受信した人の数に応じて広告料金を徴収しているので、広告収入が増加し、この広告収入の一部をポイントとして加盟店又は登録会員に与えることができるのである。そして、登録会員がポイントによってテナント店で商品を購入した場合には、そのポイントに対応する現金をテナント店は本部から徴収することができるのである。
【００１９】
したがって、上述したポイントとは地域貨幣の機能を持ち合わせたものということができる。
【００２０】
次に、図３乃至図８を用いて本発明に係るポイント通貨システムについて説明する。先ず図３に示すように、加盟店のホームページのメニューには「ポイント確認」の項目がある。この「ポイント確認」の項目を選択し、クリックすると、図４に示すように現時点において蓄積されているポイント数が表示される。また、「ポイント購入」、「ポイント発行」、「ポイント通帳」といったポイントに関するメニュー画面が表示される。
【００２１】
そこで、「ポイント購入」の項目を選択し、クリックすると、図５に示すようなポイント購入画面が表示される。このポイント購入画面において、購入するポイント数及び数量を選択し、銀行振込等の支払方法を選択した後、「次へ」の項目を選択し、クリックすると図示しないが、決済の画面が表示されるので、その画面の指示に従って決済を行うのである。
【００２２】
次に、図４のメニュー画面において、「ポイント発行」の項目を選択し、クリックすると、図６に示す画面が表示されるのである。この画面は本部と提携したテナント店を検索することができる画面であり、検索方法の例として、「電話番号で探す」場合と、「店舗名で探す」場合と、「カテゴリで探す」場合が示されている。
【００２３】
そして、このテナント店では次に示す手順に従いポイントで商品を購入することができるのである。
【００２４】
図７は本部と提携したテナント店の一覧の中から検索したテナント店の店舗名をクリックした場合に表示される画面である。したがって、購入したい商品が見つかった場合には、その商品を売っているテナント店へ携帯電話を持って出かけるのである。
【００２５】
そして、図７の画面において、購入したい商品の金額を入力した後、「次へ」を選択してクリックすると、図８の画面が表示されるのである。
【００２６】
図８の画面は２次元コードが表示されている画面であり、この２次元コードには、先程入力した購入したい商品の金額分のポイントがデータとして表示されているのである。そこで、この２次元コードが表示された携帯電話をテナント店の店員に２次元コードリーダーで読み込んでもらうのである。すると、携帯電話には本部から本人確認のメールが届くのである。そして、図示していないが、この確認のメールの「確認」項目を選択し、クリックすると、本部のサーバに記録されたポイント数から今回の商品購入に必要なポイント数が引かれ、テナント店の店員から商品が手渡されるのである。
【００２７】
ここで、現在のポイント数やポイントの付与、購入及び支払の履歴を知りたい場合には図４の画面に戻って「ポイント通帳」の項目を選択し、クリックすればよい。すると、図９に示す画面が表示され、現在のポイント数の残高と、ポイントの付与、購入及び支払の日時及び内容がわかるようになるのである。
【００２８】
なお、本発明において使用する２次元コードとしては、本件の図面において例示したQRコード（株式会社デンソーウェーブの登録商標）の他、どのような情報伝達用コードを適宜選択してもよいことは勿論である。
【００２９】
尚、本発明の趣旨を逸脱しない範囲において、種々の実施形態をとることができることは言うまでもない。上記説明では、加盟店のホームページ上でのポイント通貨システムについて説明しているが、これに限定されるものではなく、登録会員のホームページ上でも同様のポイント通貨システムを利用することができるものである。
【００３０】
また、上述した２次元コードは携帯電話を使用して以下のように利用することもできる。
【００３１】
先ず、図１０に示すような年賀状、暑中見舞い、結婚の報告などの手紙や、名刺等の印刷物に２次元コードを印刷、スタンプ印刷、シール等の方法で取り付けるのである。
【００３２】
この手紙や印刷物を友人等に送ると、受けとった友人が２次元コードを携帯電話のコードリーダー機能を使用して読み取るのである。すると、例えば、年賀状では、本人が新年の挨拶をしたり、結婚式の報告では、ウエディングドレス姿で挨拶したりする動画を携帯電話で視聴することができるのである。
【００３３】
これは以下に示すシステムで運用されるものである。まず、図１１に示すようなケータイビデオレター等と称する登録用キットをコンビニエンスストアや本屋さんや花屋さんで販売又は配布する。これを購入又は受けとった人は中に入っている２次元コード（図１２に示す）の内の登録用の２次元コード１０を選択し、携帯電話のコードリーダー機能を使用して読み取るのである。すると、図１３に示すように、会員規約画面１１が表示されるのでこれに同意すると、会員メニュー画面１２が表示される。ここで、ムービーを送信するを選択し、メール画面１３で動画を添付して本部のサーバに送信するのである。すると、本部のサーバからは返信メールが届くので、この返信メールに添付されている動画を確認して、ホストサーバへの動画の登録が完了するのである。ここで、登録用の２次元コードには、ホストサーバへアクセスするためのＵＲＬの情報と、認証コードの情報が含まれているのである。また、予め、配布用の２次元コード１４とホストサーバへ登録された動画とは対応付けられているのである。
【００３４】
したがって、登録用キットの中に入っている配布用の２次元コード１４を手紙や印刷物に貼り付けて友達等に送れば、手紙等を受けとった友人等は上述したように、携帯電話で動画を視聴することができるのである。
【００３５】
尚、配布用の２次元コード１４は、はがきや封筒に予め印刷したものをコンビニエンスストアや本屋さんで登録キットと一緒に配布又は販売してもよく、シールとなっているものや、年賀状のスタンプのように、２次元コード用のスタンプとして、はがきに押印するものなど、様々な形態が考えられる。
【図面の簡単な説明】
【００３６】
【図１】本発明の基本的なシステム構成を示す概念図である。
【図２】ポイントシステムについての説明図である。
【図３】加盟店のホームページ画面を示す図である。
【図４】加盟店のホームページ画面を示す図である。
【図５】加盟店のホームページ画面を示す図である。
【図６】加盟店のホームページ画面を示す図である。
【図７】加盟店のホームページ画面を示す図である。
【図８】加盟店のホームページ画面を示す図である。
【図９】加盟店のホームページ画面を示す図である。
【図１０】２次元コードが付けられた年賀状を示す図である。
【図１１】登録用キットを示す図である。
【図１２】登録用及び配布用の２次元コードを示す図である。
【図１３】動画を登録する手順を示す図である。
【符号の説明】
【００３７】
１  本部
２  テナント店
３  加盟店
４  登録会員
１０  登録用の２次元コード
１１  会員規約画面
１２  会員メニュー画面
１３  メール画面
１４  配布用の２次元コード
【図１】
2006155026.tif 000003
【図２】
2006155026.tif 000004
【図３】
2006155026.tif 000005
【図４】
2006155026.tif 000006
【図５】
2006155026.tif 000007
【図６】
2006155026.tif 000008
【図７】
2006155026.tif 000009
【図８】
2006155026.tif 000010
【図９】
2006155026.tif 000011
【図１１】
2006155026.tif 000012
【図１２】
2006155026.tif 000013
【図１３】
2006155026.tif 000014
【図１０】
2006155026.tif 000015